(57)【特許請求の範囲】
【請求項１】
ワイヤレス通信システムにおける干渉緩和のための方法において、
第１の帯域幅を持つアップリンクを使用するようにユーザ機器をスケジューリングすることと、
干渉信号を含む、前記第１の帯域幅の帯域端部分を規定することと、
前記帯域端部分を避けた、アップリンク帯域幅の減少された部分を、前記ユーザ機器に対してスケジューリングすることと、
フィルタリングして前記帯域端部分を除くことにより、前記アップリンク帯域幅の減少された部分を受信することとを含む方法。
【請求項２】
ブランクである部分を持つ複数のダウンリンクサブフレームを含む、ダウンリンクフレーム構造にアクセスすることと、
ブランクである部分を持つ複数のアップリンクサブフレームを含む、アップリンクフレーム構造を決定することとにより、
担当されている前記ユーザ機器と第２のユーザ機器との間の干渉を緩和することをさらに含む請求項１記載の方法。
【請求項３】
明示的なアップリンクサブフレーム定義にアクセスすることにより、前記アップリンクフレーム構造を決定することをさらに含む請求項２記載の方法。
【請求項４】
前記アップリンクフレーム構造を導き出すことをさらに含む請求項２記載の方法。
【請求項５】
前記干渉信号の欠落を検出することに応答して、前記第１の帯域幅を使用する前記アップリンクを回復させることをさらに含む請求項１記載の方法。
【請求項６】
前記第１の帯域幅を使用する前記アップリンクにおいて、アップリンク制御チャネルを送信するように前記ユーザ機器をスケジューリングすることと、
前記アップリンクの減少された部分において、前記アップリンク制御チャネルを送信するように前記ユーザ機器を再スケジューリングすることとをさらに含む請求項１記載の方法。
【請求項７】
閉じられた加入グループセル上の前記ユーザ機器を認証することをさらに含む請求項６記載の方法。
【請求項８】
フェムトセルにより、前記閉じられた加入グループセルを管理することをさらに含む請求項７記載の方法。
【請求項９】
前記減少された部分から前記帯域端部分を分離するのに十分な受信信号をアナログデジタルサンプリングすることと、
前記帯域端部分を減衰させるために、デジタルフィルタ係数を変化させることとにより、
フィルタリングして前記帯域端部分を除くことをさらに含む請求項１記載の方法。
【請求項１０】
アナログフィルタリングして前記帯域端部分を除くことをさらに含む請求項１記載の方法。
【請求項１１】
ワイヤレス通信システムにおける干渉緩和のためのコンピュータ読取可能記憶媒体において、
前記コンピュータ読取可能記憶媒体は、少なくとも１つのプロセッサにより実行されるときに、コンポーネントを実現するコンピュータ実行可能命令を記憶し、
前記コンピュータ実行可能命令は、
第１の帯域幅を持つアップリンクを使用するようにユーザ機器をスケジューリングするための第１の組のコードと、
干渉信号を含む、前記第１の帯域幅の帯域端部分を規定するための第２の組のコードと、
前記帯域端部分を避けた、アップリンク帯域幅の減少された部分を、前記ユーザ機器に対してスケジューリングするための第３の組のコードと、
フィルタリングして前記帯域端部分を除くことにより、前記アップリンク帯域幅の減少された部分を受信するための第４の組のコードとを含むコンピュータ読取可能記憶媒体。
【請求項１２】
ワイヤレス通信システムにおける干渉緩和のための装置において、
少なくとも１つのプロセッサと、
前記少なくとも１つのプロセッサにより実行されるときに、コンポーネントを実現するコンピュータ実行可能命令を記憶する少なくとも１つのコンピュータ読取可能記憶媒体とを具備し、
前記コンピュータ実行可能命令は、
第１の帯域幅を持つアップリンクを使用するようにユーザ機器をスケジューリングする手段と、
干渉信号を含む、前記第１の帯域幅の帯域端部分を規定する手段と、
前記帯域端部分を避けた、アップリンク帯域幅の減少された部分を、前記ユーザ機器に対してスケジューリングする手段と、
フィルタリングして前記帯域端部分を除くことにより、前記アップリンク帯域幅の減少された部分を受信する手段とを含む装置。
【請求項１３】
ワイヤレス通信システムにおける干渉緩和のための装置において、
前記装置は、
送信機と、
第１の帯域幅を持つアップリンクを使用するように、前記送信機を通して、ユーザ機器をスケジューリングするスケジューラと、
干渉信号を含む、前記第１の帯域幅の帯域端部分を規定するコンピューティングプラットフォームとを具備し、
前記スケジューラは、さらに、前記帯域端部分を避けた、アップリンク帯域幅の減少された部分を、前記送信機を通して、前記ユーザ機器に対してスケジューリングし、
前記装置は、
フィルタリングして前記帯域端部分を除くことにより、前記アップリンク帯域幅の減少された部分を受信する受信機を具備する装置。
【請求項１４】
担当されている前記ユーザ機器と第２のユーザ機器との間の干渉を緩和することをさらに含み、
前記コンピューティングプラットフォームは、さらに、ブランクである部分を持つ複数のダウンリンクサブフレームを含む、ダウンリンクフレーム構造にアクセスし、ブランクである部分を持つ複数のアップリンクサブフレームを含む、アップリンクフレーム構造を決定する請求項１３記載の装置。
【請求項１５】
前記コンピューティングプラットフォームは、さらに、明示的なアップリンクサブフレーム定義にアクセスすることにより、前記アップリンクフレーム構造を決定する請求項１４記載の装置。
【請求項１６】
前記コンピューティングプラットフォームは、さらに、前記アップリンクフレーム構造を導き出す請求項１４記載の装置。
【請求項１７】
前記コンピューティングプラットフォームは、さらに、前記干渉信号の欠落を検出することに応答して、前記第１の帯域幅を使用する前記アップリンクを回復させる請求項１３記載の装置。
【請求項１８】
前記スケジューラは、さらに、前記第１の帯域幅を使用する前記アップリンクにおいて、アップリンク制御チャネルを送信するように前記ユーザ機器をスケジューリングし、前記アップリンクの減少された部分において、前記アップリンク制御チャネルを送信するように前記ユーザ機器を再スケジューリングする請求項１３記載の装置。
【請求項１９】
前記コンピューティングプラットフォームは、さらに、閉じられた加入グループセル上の前記ユーザ機器を認証する請求項１８記載の装置。
【請求項２０】
前記閉じられた加入グループセルを管理するためのフェムトセルをさらに具備する請求項１９記載の装置。
【請求項２１】
前記受信機は、さらに、
前記減少された部分から前記帯域端部分を分離するのに十分な受信信号をアナログデジタルサンプリングすることと、
前記帯域端部分を減衰させるために、デジタルフィルタ係数を変化させることとにより、
フィルタリングして前記帯域端部分を除く請求項１３記載の装置。
【請求項２２】
前記受信機は、さらに、アナログフィルタリングして前記帯域端部分を除く請求項１３記載の装置。
【発明の詳細な説明】
【米国特許法第１１９条のもとでの優先権主張】
【０００１】
本特許出願は、“ブランクサブフレームアップリンク設計”と題し、２００８年１２月１日に出願され、本発明の譲受人に譲渡され、ここでの参照によりここに明確に組み込まれている仮出願第６１／１１８，８９１号に対して優先権を主張する。
【分野】
【０００２】
本開示は、一般的に通信に関連し、さらに詳細には、ワイヤレス通信ネットワークにおけるスケジューリングに関連している。
【背景】
【０００３】
ワイヤレス通信システムは、音声や、データなどのような、さまざまなタイプの通信コンテンツを提供するために広く用いられている。これらのシステムは、使用可能なシステムリソース（例えば、帯域幅および送信電力）を共有することにより、複数のユーザとの通信をサポートする能力を持つ多元接続システムであってもよい。このような多元接続システムの例は、コード分割多元接続（ＣＤＭＡ）システム、時分割多元接続（ＴＤＭＡ）システム、周波数分割多元接続（ＦＤＭＡ）システム、および、直交周波数分割多元接続（ＯＦＤＭＡ）システムを含む。
【０００４】
一般的に、ワイヤレス多元接続通信システムは、複数のワイヤレス端末に対する通信を同時にサポートできる。各端末は、フォワードリンクおよびリバースリンク上での送信を通して、１つ以上の基地局と通信する。フォワードリンク（すなわち、ダウンリンク）は、基地局から端末への通信リンクのことを指し、リバースリンク（すなわち、アップリンク）は、端末から基地局への通信リンクのことを指している。この通信リンクは、単一入力単一出力（ＳＩＳＯ）や、複数入力単一出力（ＭＩＳＯ）や、単一入力複数出力（ＳＩＭＯ）や、複数入力複数出力（ＭＩＳＯ）のシステムを通して、確立されてもよい。
【０００５】
ユニバーサルモバイルテレコミュニケーションシステム（ＵＭＴＳ）は、第３世代（３Ｇ）携帯電話機技術のうちの１つである。進化ＵＭＴＳ地上無線アクセスネットワークの略である、ＵＴＲＡＮは、基地ノード（ノードＢ）と無線ネットワーク制御装置（ＲＮＣ）との集合的な用語であり、これらは、ＵＭＴＳコアネットワークを構成する。この通信ネットワークは、実時間回線交換からＩＰベースのパケット交換まで、多数のトラフィックタイプを運ぶことができる。ＵＴＲＡＮにより、ＵＥ（ユーザ機器）とコアネットワークとの間の接続が可能になる。ＵＴＲＡＮは、ノードＢと呼ばれる基地局と、ＲＮＣとを備えている。ＲＮＣは、１つ以上のノードＢに対して制御機能性を提供する。ノードＢおよびＲＮＣは、同じデバイスでありえるが、典型的なインプリメンテーションは、複数のノードＢを担当している中央局中に位置する別々のＲＮＣを持つ。これらは物理的に別々である必要がないという事実にかかわらず、これらの間には、ｌｕｂとして知られている論理インターフェースがある。ＲＮＣと、これの対応するノードＢは、無線ネットワークシステム（ＲＮＳ）と呼ばれている。ＵＴＲＡＮ中には、１つより多くののＲＮＳが存在することができる。
【０００６】
第３世代パートナーズシッププロジェクト（３ＧＰＰ）ＬＴＥ（ロングタームエボリューション）は、ＵＭＴＳ移動体電話機標準規格を改善し、今後の要求に対処するための、３ＧＰＰ内のプロジェクトに与えられた名称である。目的は、効率性の改善と、コストの削減と、サービスの改善と、新たなスペクトル利用の機会と、他のオープンな標準規格とのより優れた統合とを含む。進化ＵＴＲＡ（ＥＵＴＲＡ）および進化ＵＴＲＡＮ（ＥＵＴＲＡＮ）シリーズの仕様書の中に、ＬＴＥシステムが記載されている。改善された通信サービスおよび増加した効率性を提供するために、セルラ通信システムは、絶えず開発され、強化されている。近年、第３世代パートナーシッププロジェクト（３ＧＰＰ）標準規格機関は、ＬＴＥとして知られている、ユニバーサルモバイルテレコミュニケーションシステム（ＵＭＴＳ）に対する標準規格化改良のプロセスにある。
【０００７】
同様に、高速ダウンリンクパケットアクセス（ＨＳＤＰＡ）および高速アップリンクパケットアクセス（ＨＳＤＰＡ）ような、最新の通信サービスに対して、ＬＴＥは、エアインターフェースを介して、ユーザトラフィックと制御データとに割り振られる通信リソースの非常に高速なスケジューリングを使用する。特に、ユーザトラフィックに対するスケジューリングは、個々の担当基地局（ｅノードＢ）において実行してもよく、それよって、スケジューリングが、個々のユーザ機器（ＵＥ）に対する伝播チャネルの特性の変化に追従できるくらい速くスケジューリングできるようになる。有利な伝播条件を現在経験しているＵＥに対して、データが支配的にスケジューリングされるように、ＵＥに対してデータをスケジューリングするのにこれが使用される。物理アップリンク共有チャネル（ＰＵＳＣＨ）として知られている物理チャネル上で送信されるアップリンクユーザデータトラフィックと、物理ダウンリンク共有チャネル（ＰＤＳＣＨ）として知られている物理チャネル上で送信されるダウンリンクユーザデータトラフィックとの双方に対して、高速スケジューリングを実行してもよい。
【０００８】
ＬＴＥにおいて、１サブフレームから１０サブフレームの間の典型的なスケジューリング間隔（すなわち、スケジューリングアルゴリズムをどのくらいの頻度で実行するか）を有し、１ｍｓのみの期間を持つサブフレーム中において、リソース割り振りを変化させることができる。１フレームは、このような連続する１０サブフレームからなる。ＰＵＳＣＨおよびＰＤＳＣＨは共有チャネルであり、スケジューリングは、現在の伝播条件のみならず、ＵＥのリソース要件にも依存している。スケジューリングを簡略化し、シグナリングオーバーヘッドを減少させるために、ＬＴＥは、継続的なスケジューリングを許容しており、ＰＵＳＣＨまたはＰＤＳＣＨに対するリソースの割り振りが複数のサブフレームに対して行われてもよい。
【０００９】
基地局において効率的な高速スケジューリングを提供するために、ＵＥは、アップリンク制御情報をスケジューリング基地局に送信しなければならない。特に、ＵＥは、チャネル品質インジケータ（ＣＱＩ）データを送信する。チャネル品質インジケータ（ＣＱＩ）データは、ＵＥに対する現在の伝播条件を示している。受信信号の測定値に基づいて、ＵＥはＣＱＩを発生させる。ＣＱＩは、基地局からＵＥへのエアインターフェース通信チャネルによりサポート可能であると考えられている、変調スキームおよびデータレートを示してもよく、または、信号対ノイズプラス干渉比の尺度であってもよい。別の例としては、ＬＴＥは、（自動反復要求（ＡＲＱ）またはハイブリッドＡＲＱ（ＨＡＲＱ）として呼ばれる）送信スキームを使用し、ＵＥは、アップリンク肯定応答（ＡＣＫ）メッセージまたは非肯定応答（ＮＡＣＫ）メッセージの形態で、ＡＲＱデータを送信する。アップリンク肯定応答（ＡＣＫ）メッセージまたは非肯定応答（ＮＡＣＫ）メッセージは、個々のデータパケットを再送信する必要があるか否かを決定するために使用される。さらに別の例では、ＬＴＥにより、基地局は、適合可能なアンテナ技術を利用できるようになり、ＵＥは、プリコーディングマトリックスインデックス（ＰＭＩ）を報告してもよい。プリコーディングマトリックスインデックス（ＰＭＩ）は、個々のアンテナエレメントに対して、ＵＥにより推奨されたアンテナ重みを信号送信するために使用される。
【００１０】
アップリンク制御情報は、物理アップリンクチャネルを使用して送信される。特に、ＵＥがアップリンクユーザデータトラフィックをＰＵＳＣＨ上で送信するサブフレームにおいて、ＰＵＳＣＨを使用して制御情報を基地局に送信するように、制御データは、送信内に埋め込まれている。しかしながら、アップリンクユーザデータトラフィックがＰＵＳＣＨ上で送信されないサブフレームにおいて、ＵＥは、物理アップリンク制御チャネル（ＰＵＣＣＨ）として知られている物理アップリンクチャネルを使用して、制御情報を送信する。したがって、制御情報の送信に対して使用する物理エアインターフェースチャネルは、異なるサブフレームに対して変化することがある。
【概要】
【００１１】
下記では、開示した側面のうちいくつかの側面の基本的な理解を提供するために、簡略化した概要を提示している。この概要は、幅広い概観ではなく、キーまたは重要なエレメントを識別することや、このような側面の範囲を線引きすることを意図していない。この目的は、後に表されるさらに詳細な記述への前置きとして、記述する特徴のいくつかの概念を簡略化した形態で表すことである。
【００１２】
１つの側面において、下記の動作を実現する、コンピュータ読取可能記憶媒体上に記憶されているコンピュータ実行可能命令を実行するプロセッサを用いることによる、ワイヤレス通信システムにおける干渉緩和のための方法を提供する：中継器によるアクセスノードとの非同時の受信および送信を実行する半二重スケジュールを決定する。半二重スケジュールに一致するランダムアクセスチャネル機会を持つ物理ランダムアクセスチャネルコンフィギュレーションを決定する。物理ランダムアクセスチャネルコンフィギュレーションを使用することによって、中継器を通して、アクセスノードとのランダムアクセスチャネル手順を実行する。
【００１３】
別の側面において、ワイヤレス通信システムにおける干渉緩和のためのコンピュータプログラムプロダクトを提供する。少なくとも１つのコンピュータ読取可能記憶媒体は、少なくとも１つのプロセッサにより実行されるときに、コンポーネントを実現するコンピュータ実行可能命令を記憶する。第１の組のコードは、中継器によるアクセスノードとの非同時の受信および送信を実行する半二重スケジュールを決定する。第２の組のコードは、半二重スケジュールに一致するランダムアクセスチャネル機会を持つ物理ランダムアクセスチャネルコンフィギュレーションを決定する。第３の組のコードは、物理ランダムアクセスチャネルコンフィギュレーションを使用することによって、中継器を通して、アクセスノードとのランダムアクセスチャネル手順を実行する。
【００１４】
追加的な側面において、ワイヤレス通信システムにおける干渉緩和のための装置を提供する。少なくとも１つのコンピュータ読取可能記憶媒体は、少なくとも１つのプロセッサにより実行されるときに、コンポーネントを実現するコンピュータ実行可能命令を記憶する。中継器によるアクセスノードとの非同時の受信および送信を実行する半二重スケジュールを決定する手段を提供する。半二重スケジュールに一致するランダムアクセスチャネル機会を持つ物理ランダムアクセスチャネルコンフィギュレーションを決定する手段を提供する。物理ランダムアクセスチャネルコンフィギュレーションを使用することによって、中継器を通して、アクセスノードとのランダムアクセスチャネル手順を実行する手段を提供する。
【００１５】
さらになる側面において、ワイヤレス通信システムにおける干渉緩和のための装置を提供する。コンピューティングプラットフォームは、中継器によるアクセスノードとの非同時の受信および送信を実行する半二重スケジュールを決定し、半二重スケジュールに一致するランダムアクセスチャネル機会を持つ物理ランダムアクセスチャネルコンフィギュレーションを決定する。送信機および受信機は、物理ランダムアクセスチャネルコンフィギュレーションを使用することによって、中継器を通して、アクセスノードとのランダムアクセスチャネル手順を実行する。
【００１６】
さらに、１つの側面において、下記の動作を実現する、コンピュータ読取可能記憶媒体上に記憶されているコンピュータ実行可能命令を実行するプロセッサを用いることによる、ワイヤレス通信システムにおける干渉緩和のための方法を提供する。第１の帯域幅を持つアップリンクを使用するようにユーザ機器をスケジューリングする。干渉信号を含む、第１の帯域幅の帯域端部分を規定する。帯域端部分を避けた、アップリンク帯域幅の減少された部分を、ユーザ機器に対してスケジューリングする。フィルタリングして帯域端部分を除くことにより、アップリンク帯域幅の減少された部分を受信する。
【００１７】
さらに別の側面において、ワイヤレス通信システムにおける干渉緩和のためのコンピュータプログラムプロダクトを提供する。少なくとも１つのコンピュータ読取可能記憶媒体は、少なくとも１つのプロセッサにより実行されるときに、コンポーネントを実現するコンピュータ実行可能命令を記憶する。第１の組のコードは、第１の帯域幅を持つアップリンクを使用するようにユーザ機器をスケジューリングする。第２の組のコードは、干渉信号を含む、第１の帯域幅の帯域端部分を規定する。第３の組のコードは、帯域端部分を避けた、アップリンク帯域幅の減少された部分を、ユーザ機器に対してスケジューリングする。第４の組のコードは、フィルタリングして帯域端部分を除くことにより、アップリンク帯域幅の減少された部分を受信する。
【００１８】
さらに追加的な側面において、ワイヤレス通信システムにおける干渉緩和のための装置を提供する。少なくとも１つのコンピュータ読取可能記憶媒体は、少なくとも１つのプロセッサにより実行されるときに、コンポーネントを実現するコンピュータ実行可能命令を記憶する。第１の帯域幅を持つアップリンクを使用するようにユーザ機器をスケジューリングする手段を提供する。干渉信号を含む、第１の帯域幅の帯域端部分を規定する手段を提供する。帯域端部分を避けた、アップリンク帯域幅の減少された部分を、ユーザ機器に対してスケジューリングする手段を提供する。フィルタリングして帯域端部分を除くことにより、アップリンク帯域幅の減少された部分を受信する手段を提供する。
【００１９】
さらに、さらなる側面において、ワイヤレス通信システムにおける干渉緩和のための装置を提供する。スケジューラは、第１の帯域幅を持つアップリンクを使用するように、送信機を通して、ユーザ機器をスケジューリングする。コンピューティングプラットフォームが、干渉信号を含む、第１の帯域幅の帯域端部分を規定する。スケジューラは、さらに、帯域端部分を避けた、アップリンク帯域幅の減少された部分を、送信機を通して、ユーザ機器に対してスケジューリングする。受信機は、フィルタリングして帯域端部分を除くことにより、アップリンク帯域幅の減少された部分を受信する。
【００２０】
先の目的および関連する目的を達成するために、１つ以上の側面は、後に完全に記述する特徴、および、特許請求の範囲中で特に指摘する特徴を含んでいる。下記の説明および添付図面では、ある例示的側面を詳細に説明しているが、側面の原理を用いることができるさまざまな方法のうちのいくつかを示しているに過ぎない。図面および開示している側面は、このようなすべての側面およびそれらの均等物を含むことを意図していることに関連して考えると、以下の詳細な説明から、他の利点および新しい特徴が明白になるだろう。
【図面の簡単な説明】
【００２１】
同一の参照文字が全体を通して対応したものを識別している図面を参照すると、以下の詳細な記述から本開示の特徴、特質、および利点がより明白になるだろう。  
【図１Ａ】図１Ａは、アップリンク帯域幅を減少させることにより、異種ワイヤレスネットワークにおいて干渉緩和を実行するノードを図示している。
【図１Ｂ】図１Ｂは、半二重の送信および受信を使用する、ノードとのハンドオーバーを、中継器を通して実行するユーザ機器のブロックダイヤグラムを図示している。
【図２】図２は、多数のユーザをサポートするように構成されているワイヤレス通信システムのダイヤグラムを図示している。
【図３】図３は、マクロセル、フェムトセル、およびピコセルを含むワイヤレス通信システムのダイヤグラムを図示している。
【図４】図４は、ネットワーク環境内で１つ以上のフェムトノードが配備されている通信システムのダイヤグラムを図示している。
【図５】図５は、いくつかの、追跡エリアや、ルーティングエリアや、ロケーションエリアが規定されているカバレッジマップのダイヤグラムを図示している。
【図６】図６は、多元接続ワイヤレス通信システムのダイヤグラムを図示している。
【図７】図７は、複数入力複数出力（ＭＩＭＯ）通信システムの概略図を図示している。
【図８】図８は、ワイヤレス通信システムにおける干渉緩和のための、方法論や、動作のシーケンスのフローダイヤグラムを図示している。
【図９】図９は、異種ワイヤレス通信システムにおける干渉緩和のための、方法論や、動作のシーケンスのフローダイヤグラムを図示している。
【図１０】図１０は、ワイヤレス通信システムにおける干渉緩和のための、少なくとも部分的にユーザ機器中に組み込まれている電気コンポーネントの論理グルーピングのブロックダイヤグラムを図示している。
【図１１】図１１は、異種ワイヤレス通信システムにおける干渉緩和のための、少なくとも部分的にノード中に組み込まれている電気コンポーネントの論理グルーピングのブロックダイヤグラムを図示している。
【図１２】図１２は、ワイヤレス通信システムにおける干渉緩和のための手段を有する装置のブロックダイヤグラムを図示している。
【図１３】図１３は、異種ワイヤレス通信システムにおける干渉緩和のための手段を有する装置のブロックダイヤグラムを図示している。
【詳細な説明】
【００２２】
図面を参照して、さまざまな側面をこれから記述する。下記の記述において、説明の目的として、１つ以上の側面の全体を通した理解を提供するために、多数の特有な詳細が述べられている。しかしながら、これらの特有な詳細なしに、さまざまな側面を実施してもよいことは明らかだろう。他の例では、これらの側面の記述を促進するために、よく知られている構造およびデバイスがブロックダイヤグラムの形態で示されている。
【００２３】
図１中では、通信システム１００において、閉じられた加入グループ（ＣＳＧ）セル１０２が、減少されたアップリンク帯域幅により、干渉緩和を提供する。特に、このようなＣＳＧ配備において、ダウンリンク（ＤＬ）ブランクサブフレーム１０３により、許可されていないユーザ機器（ＵＥ）１０４が、同じダウンリンク搬送波１０８上の、ＣＳＧセル１０２に対して許可されているＵＥ１０６と共存できるようになる。
【００２４】
アップリンク（ＵＬ）ブランクサブフレーム１１０は、許可されていないＵＥ１０４と許可されているＵＥ１０６とによるＵＬ１１２上の送信を直交させるように定められている。例示的な側面では、これは、明示的なＵＬブランクサブフレーム定義１１４を通してか、または、代替的には、ＤＬブランクサブフレーム定義１１６から導き出すかのいずれかで、行うことができる。
【００２５】
クリーンなＵＬブランクサブフレームが規定されていないケースでは、ＣＳＧセル１０２のノード１２０（例えば、フェムトセル、ホーム進化基地ノード（ＨｅＮＢ）など）のスケジューラ１１８は、データ送信を直交させるように、許可されたＵＥ１０６をスケジューリングする。しかしながら、許可されていないＵＥ１０４からの物理アップリンク制御チャネル（ＰＵＣＣＨ）残余干渉１２２が、非常に多くなることがあり、ＨｅＮＢ１２０のすぐ近くのものを妨げることがある。
【００２６】
１２４において図示されているように、ＣＳＧセル１０２は、一時的にＵＬ帯域幅（ＢＷ）を減少させることによりこの状況を避けることができる。いったん高い干渉１２８が検出されると、アドバタイズされたシステムＢＷは同じままであるが、許可されたＵＥ１０６によるＰＵＣＣＨ１２６は、さらに内側へ移動している可能性がある。フェムトセル１２０のケースにおいて、接続されているＵＥ１０６が２、３であるときに、このことが起こりうる。
【００２７】
ＵＬ帯域幅を減少させる１つのインプリメンテーションは、アナログフィルタ１３０、高速フーリエ変換（ＦＦＴ）１３４のサイズ１３２などを変化させて、帯域端干渉を除くことである。代替的な異なるインプリメンテーションも可能である。ＦＦＴサイズは同じままとすることができるが、そこで、アナログかデジタルの何らかのフィルタリング（すなわち、Ａ／Ｄ量子化許可）が必要になるだろう。例示的なプロトタイプでは、何らかの実際のハードウェア（ＨＷ）の変更なしで、フィルタ係数を単に再ローディングすることにより、これを行ってもよい。
【００２８】
したがって、例示的な側面では、ワイヤレス通信システムにおける干渉緩和のための、ＣＳＧセル１０２のような装置が提供されている。スケジューラ１１８は、第１の帯域幅を持つアップリンク１１２を使用するように、送信機（ＴＸ）１３６を通して、ＵＥ１０６をスケジューリングする。コンピューティングプラットフォーム１３８は、干渉信号を含む、第１の帯域幅の帯域端部分を規定する。スケジューラ１１８は、帯域端部分を避けた、アップリンク帯域幅の減少された部分を、送信機１３６を通して、ＵＥ１０６に対してさらにスケジューリングする。受信機（ＲＸ）１４０は、フィルタリングして帯域端部分を除くことにより、アップリンク帯域幅の減少された部分を受信する。
【００２９】
図１Ｂ中では、ランダムアクセスチャネル（ＲＡＣＨ）サポートに対する、ＵＬハイブリッド自動反復要求（ＨＡＲＱ）プロセス割り振りのための、ネットワーク１５０が図示されている。ＵＥ１５２として図示されている装置は、ダウンリンク１６０およびアップリンク１６２のそれぞれを通して、アクセスノード１５８と対話するために、受信機（ＲＸ）１５４および送信機（ＴＸ）１５６を持つ。ダウンリンク１６０およびアップリンク１６２のうちの少なくとも１つは、中継器１６４に依存する。ＵＥ１５２は、コンピューティングプラットフォーム１６６を持つ。コンピューティングプラットフォーム１６６は、中継器１６４によるアクセスノード１５８との非同時の受信および送信を実行する半二重スケジュール１６８を決定する。コンピューティングプラットフォーム１６６は、半二重スケジュール１６８に一致するランダムアクセスチャネル機会を持つ物理ランダムアクセスチャネル（ＰＲＡＣＨ）コンフィギュレーションをさらに決定する。これにより、ＵＥ１５２は、物理ランダムアクセスチャネルコンフィギュレーションを使用することによって、中継器１６４を通しての、アクセスノード１５８とのランダムアクセスチャネル手順を実行するために、送信機１５６および受信機１５４を利用することができる。
【００３０】
例示的な側面では、ＵＬブランクサブフレームコンフィギュレーションの知識なしで、中継器は、非ブランクＵＬサブフレームと可能な限り一致するように、ＲＡＣＨ機会を構成することができる。この設計により、ＵＥがＲＡＣＨとハンドオーバー手順とを開始するには、ＲＡＣＨ機会の知識で十分である。下記において表１に示されているように、ＲＡＣＨ機会は、１０ｍｓ周期および２０ｍｓ周期を持つことに留意すべきである。
【００３１】
すべての、奇数／偶数のＵＬ ＨＡＲＱインターレースを中継器に割り当てることにより、１０ｍｓ周期をサポートすることができるだろう。ＲＡＣＨオポチュニティーは、すべてのＵＬインターレースにわたることから、（例えば、６、７、９のように）すべてのＲＡＣＨコンフィギュレーションをサポートできるわけではないだろう。これらのケースでは、ＲＡＣＨ機会において何らかパンクチャリングがあるだろう。注釈付きエントリは、ＤＬ（０、４、５、９）サブフレームにマッピングされる、ＵＬサブフレーム（４、８、９、３）に対応していることに留意すべきである。このことは、アクセスリンク上で常に利用可能である。注釈付きエントリは、物理リサーチアクセスチャネル（ＰＲＡＣＨ）コンフィギュレーションインデックス１、４、８（サブフレーム番号３、８）と、インデックス１０（サブフレーム８）と、インデックス１１（サブフレーム３、９）と、インデックス１２（サブフレーム４）と、インデックス１４（サブフレーム４）と、インデックス１５、１７、および２０とに対するものである。１つの例として、コンフィギュレーション（“Ｃｏｎｆｉｇ”）１２は、偶数のサブフレームにマッピングする４つのＨＡＲＱプロセスをアクセスリンクに割り当てることにより、サポートすることができる。
【００３２】
１／４のＵＬ ＨＡＲＱインターレースのうちの任意のものを中継器に割り当てることにより、２０ｍｓ周期をサポートすることができるだろう。例えば、Ｃｏｎｆｉｇ０は、サブフレーム｛１、９、１７、２５、３３｝および｛５、１３、２１、２９、３７｝を含む２つのＵＬ ＨＡＲＱプロセスをアクセスリンクに割り当てることにより、サポートすることができるだろう。このケースでは、すべてのＲＡＣＨ機会が、アクセスリンクＵＬサブフレーム上で起こる。
【００３３】
表１では、プリアンブルフォーマット０〜３に対して、例示的なフレーム構造タイプ１ランダムアクセスコンフィギュレーションが図示されている。
【表１】
0005646585.tif 000002
【００３４】
いくつかの側面では、ここでの教示は、マクロスケールカバレッジ（例えば、典型的にマクロセルネットワークとして呼ばれる、３Ｇネットワークまたは４Ｇネットワークのような、広いエリアのセルラネットワーク）と、より小さいスケールのカバレッジ（例えば、住宅ベースのネットワーク環境またはビルディングベースのネットワーク環境）とを含むネットワークにおいて用いてもよい。アクセス端末（“ＡＴ”）がこのようなネットワークを通して移動するとき、アクセス端末は、あるロケーションにおいて、マクロカバレッジを提供するアクセスノード（“ＡＮ”）により担当されてもよい一方で、アクセス端末は、他のロケーションにおいて、より小さいスケールのカバレッジを提供するアクセスノードにより担当されてもよい。いくつかの側面では、より小さいカバレッジノードは、インクリメント的な能力の増大、ビルディング内カバレッジ、および異なるサービス（例えば、より強固なユーザ経験）を提供するために使用されるかもしれない。ここでの論議において、相対的に大きいエリアにわたってカバレッジを提供するノードは、マクロノードとして呼ばれることがある。相対的に小さいエリア（例えば、住宅）にわたってカバレッジを提供するノードは、フェムトノードとして呼ばれることがある。マクロエリアより小さく、フェムトエリアより大きいエリアにわたってカバレッジを提供する（例えば、商業用のビルディング内でカバレッジを提供する）ノードは、ピコノードとして呼ばれることがある。
【００３５】
マクロノード、フェムトノード、またはピコノードに関係するセルは、それぞれマクロセル、フェムトセル、またはピコセルとして呼ばれることがある。いくつかのインプリメンテーションでは、各セルは、１つ以上のセクタにさらに関係していてもよい（例えば、分割されていてもよい）。
【００３６】
さまざまなアプリケーションにおいて、マクロノード、フェムトノード、またはピコノードを言及するために、他の用語を使用してもよい。例えば、マクロノードは、アクセスノード、基地局、アクセスポイント、ｅノードＢ、マクロセルなどとして、構成されることがあり、または、呼ばれることがある。また、フェムトノードは、ホームノードＢ、ホームｅノードＢ、アクセスポイント、基地局、フェムトセルなどとして、構成されることがあり、または、呼ばれることがある。
【００３７】
図２は、多数のユーザをサポートするように構成され、ここでの教示を実現するワイヤレス通信システム２００を図示している。システム２００は、例えば、各セルが、対応するアクセスノード２０４（例えば、アクセスノード２０４ａ〜２０４ｇ）によりサービスされている、マクロセル２０２ａ〜２０２ｇのような、複数のセル２０２に対する通信を提供する。図２中に示されているように、アクセス端末２０６（例えば、アクセス端末２０６ａ〜２０６ｌ）は、システム全体を通してさまざまなロケーションに経時的に分散されるかもしれない。例えば、アクセス端末２０６がアクティブであるか否かや、アクセス端末がソフトハンドオフ中であるか否かに依存して、各アクセス端末２０６は、所定の瞬間に、フォワードリンク（“ＦＬ”）上で、および／または、リバースインク（“ＲＬ”）上で、１つ以上のアクセスノード２０４と通信してもよい。ワイヤレス通信システム２００は、大きな地理的領域にわたってサービスを提供してもよい。例えば、マクロセル２０２ａ〜２０２ｇは、近隣のいくつかのブロックをカバーしてもよい。
【００３８】
図３に示されている例において、基地局３１０ａ、３１０ｂ、および３１０ｃが、それぞれマクロセル３０２ａ、３０２ｂ、および３０２ｃに対するマクロ基地局であってもよい。基地局３１０ｘは、端末３２０ｘと通信するピコセル３０２ｘに対するピコ基地局であってもよい。基地局３１０ｙは、端末３２０ｙと通信するフェムトセル３０２ｙに対するフェムト基地局であってもよい。簡略化のために図３中には示されていないが、マクロセルは、端においてオーバーラッピングしているかもしれない。ピコセルおよびフェムトセルは、（図３中に示されているように）マクロセル内に位置していてもよく、または、マクロセルおよび／または他のセルとオーバーラッピングしてもよい。
【００３９】
ワイヤレスネットワーク３００はまた、中継局、例えば、端末３２０ｚと通信する中継局３１０ｚを含んでいてもよい。中継局は、アップストリーム局から、データおよび／または他の情報の送信を受信し、データおよび／または他の情報の送信をダウンストリーム局に送る局である。アップストリーム局は、基地局、別の中継局、または、端末であってもよい。ダウンストリーム局は、端末、別の中継局、または基地局であってもよい。中継局はまた、他の端末に対する送信を中継する端末であってもよい。中継局は、低再利用プリアンブルを送信および／または受信してもよい。例えば、中継局は、ピコ基地局と類似した方法で、低再利用プリアンブルを送信してもよく、端末と類似した方法で、低再利用プリアンブルを受信してもよい。
【００４０】
ネットワーク制御装置３３０は、１組の基地局に一体化してもよく、これらの基地局に対する調整および制御を提供してもよい。ネットワーク制御装置３３０は、単一ネットワークエンティティ、または、ネットワークエンティティの集合であってもよい。ネットワーク制御装置３３０は、バックホールを通して基地局３１０と通信してもよい。バックホールネットワーク通信３３４は、このような分配アーキテクチャを用いる基地局３１０ａ〜３１０ｃとの間のポイントツーポイント通信を促進することができる。基地局３１０ａ〜３１０ｃはまた、例えば、ワイヤレスバックホールまたはワイヤーラインバックホールを通して、直接的にまたは間接的に、互いに通信してもよい。
【００４１】
ワイヤレスネットワーク３００は、（図３中には示されていない）マクロ基地局のみを含む、同種ネットワークであってもよい。ワイヤレスネットワーク３００はまた、異なるタイプの基地局、例えば、マクロ基地局、ピコ基地局、ホーム基地局、中継基地局などを含む、異種ネットワークであってもよい。これらの異なるタイプの基地局は、ワイヤレスネットワーク３００において、異なる送信電力レベルと、異なるカバレッジエリアと、干渉における異なる影響を持っていてもよい。例えば、マクロ基地局は、高い送信電力レベル（例えば、２０ワット）を持っていてもよいのに対して、ピコ基地局およびフェムト基地局は、低い送信電力レベル（例えば、９ワット）を持っていてもよい。ここで記述した技術は、同種ネットワークおよび異種ネットワークに対して使用してもよい。
【００４２】
端末３２０は、ワイヤレスネットワーク３００全体を通して分散していてもよく、各端末は、静的なものまたは移動性のものであってもよい。端末はまた、アクセス端末（ＡＴ）、移動局（ＭＳ）、ユーザ機器（ＵＥ）、加入者ユニット、局などとして呼ばれることがある。端末は、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局などであってもよい。端末は、ダウンリンクおよびアップリンクを通して、基地局と通信してもよい。ダウンリンク（すなわち、フォワードリンク）は、基地局から端末への通信リンクのことを指し、アップリンク（すなわち、リバースリンク）は、端末から基地局への通信リンクのことを指している。
【００４３】
端末は、マクロ基地局、ピコ基地局、フェムト基地局、および／または、他のタイプの基地局と通信してもよい。図３中では、両端矢印を持つ実線は、端末と担当基地局との所望の送信を示しており、この担当基地局は、ダウンリンクおよび／またはアップリンク上の端末を担当するように指定されている基地局である。両端矢印を持つ破線は、端末と基地局との干渉送信を示している。干渉基地局は、ダウンリンク上の端末に対して干渉を起こしている基地局、および／または、アップリンク上の端末からの干渉を観測している基地局である。
【００４４】
ワイヤレスネットワーク３００は、同期動作または非同期動作をサポートしてもよい。同期動作において、基地局は、同じフレームタイミングを持っていてもよく、異なる基地局からの送信は、時間で整列されていてもよい。非同期動作において、基地局は、異なるフレームタイミングを持っていてもよく、異なる基地局からの送信は、時間で整列されていなくてもよい。非同期動作は、ピコおよびフェムト基地局に対してより一般的である。ピコおよびフェムト基地局は、屋内に配備されていることもあり、グローバルポジショニングシステム（ＧＰＳ）のような同期ソースへのアクセスは持たないかもしれない。
【００４５】
１つの側面では、システム能力を改善するために、各基地局３１０ａ〜３１０ｃに対応している、カバレッジエリア３０２ａ、３０２ｂ、または３０２ｃは、複数のより小さいエリア（例えば、エリア３０４ａ、３０４ｂ、および３０４ｃ）にパーティションすることができる。より小さいエリア３０４ａ、３０４ｂ、および３０４ｃのそれぞれは、各基地トランシーバサブシステム（ＢＴＳ、示されていない）により担当することができる。ここで使用し、技術的に一般的なように、用語“セクタ”は、この用語が使用される文脈に依存して、ＢＴＳおよび／またはこのカバレッジエリアのことを指すことがある。１つの例では、セル３０２ａ、３０２ｂ、３０２ｃ中のセクタ３０４ａ、３０４ｂ、３０４ｃは、基地局３１０における（示されていない）アンテナのグループにより形成することができる。アンテナの各グループは、セル３０２ａ、３０２ｂ、または３０２ｃの部分中における端末３２０との通信を担っている。例えば、セル３０２ａを担当している基地局３１０は、セクタ３０４ａに対応している第１のアンテナグループと、セクタ３０４ｂに対応している第２のアンテナグループと、セクタ３０４ｃに対応している第３のアンテナグループとを持つことができる。しかしながら、ここで開示したさまざまな側面は、セクタ分けされたセルおよび／またはセクタ分けされていないセルを持つシステム中で使用できることを正しく認識すべきである。さらに、任意の数のセクタ分けされたセルおよび／またはセクタ分けされていないセルを持つすべての適したワイヤレス通信ネットワークは、ここに添付した特許請求の範囲内に入るように意図されていることを正しく認識すべきである。簡略化のために、ここで使用される用語“基地局”は、セクタを担当する局とともに、セルを担当する局との双方を指すことがある。ここで使用されるように、ディスジョイントリンクシナリオにおけるダウンリンクセクタは、隣接セクタであることを正しく認識すべきである。下記の記述は、一般的に、簡略化のために、各端末が１つの担当アクセスポイントと通信するシステムに関連しているが、端末は、任意の数の担当アクセスポイントと通信できることを正しく認識すべきである。
【００４６】
図４は、ネットワーク環境内で１つ以上のフェムトノードが配備されている例示的な通信システム４００を図示している。特に、システム４００は、（例えば、１つ以上のユーザ住宅における）相対的に小さいスケールのネットワーク環境でインストールされる、ホーム基地ノード（ＨＮＢ）４０２ａおよび４０２ｂとして図示されている複数のフェムトノードを含んでいる。各フェムトノード４０２ａ〜４０２ｂは、（示されていない）ＤＳＬルータや、ケーブルモデムや、ワイヤレスリンクや、他の接続手段を通して、ワイドエリアネットワーク４０６（例えばインターネット）と、移動体運営者コアネットワーク４０８とに結合されていてもよい。下記において論じるように、各フェムトノード４０２ａ〜４０２ｂは、関係するアクセス端末またはユーザ機器（ＵＥ）４１０ａを、オプションとして、（例えば、閉じられた加入者グループへの加入者ではない）エイリアンアクセスＵＥ４１０ｂを担当するように構成されていてもよい。言い換えると、フェムトノード４０２ａ〜４０２ｂへのアクセスは制限されていてもよく、これにより、所定のＵＥ４１０ａ〜４１０ｂは、指定されている組の（例えば、ホーム）フェムトノード４０２ａ〜４０２ｂにより担当されてもよいが、何らかの指定されていないフェムトノード４０２ａ〜４０２ｂ（例えば、隣接のフェムトノード４０２ａ〜４０２ｂ）によっては担当されない。
【００４７】
フェムトノードのオーナー４１０は、移動体運営者コアネットワーク４０８を通して提供される、例えば３Ｇ移動体サービスのような、移動体サービスに加入していてもよい。加えて、アクセス端末またはＵＥ４１０ａ〜４１０ｂは、マクロ環境と、より小さいスケールの（例えば、住宅の）ネットワーク環境との双方において動作する能力があってもよい。言い換えると、ＵＥ４１０ａ〜４１０ｂの現在のロケーションに依存して、マクロセル移動体ネットワーク４０８の、アクセスのノードやマクロ基地ノード４１２により、または、１組のフェムトノード４１０のうちの任意の１つ（例えば、対応するユーザ住宅４０４内に存在するフェムトノード４０２ａ〜４０２ｂ）により、アクセス端末４１０ａ〜４１０ｂは担当されてもよい。例えば、加入者が加入者の家の外にいるときに、加入者は、標準マクロアクセスノード（例えばノード４１２）により担当されてもよく、加入者が家にいるときには、加入者は、フェムトノード（例えば、ノード４０２ａ〜４０２ｂ）により担当されてもよい。ここで、フェムトノード４０２ａ〜４０２ｂは、既存のアクセス端末またはＵＥ４１０ａ〜４１０ｂと下位互換性があってもよいことを正しく認識すべきである。
【００４８】
フェムトノード４０２ａ〜４０２ｂは、単一周波数上で、または、代替として、複数の周波数上に配備されていてもよい。特定のコンフィギュレーションに依存すると、単一の周波数、または、複数の周波数のうちの１つ以上のものは、マクロノード（例えばノード４１２）により使用される１つ以上の周波数とオーバーラッピングしていてもよい。
【００４９】
いくつかの側面では、アクセス端末またはＵＥ４１０ａ〜４１０ｂは、このような接続が可能であるときはいつでも、望ましいフェムトノード（例えば、アクセス端末またはＵＥ４１０ａ〜４１０ｂのホームフェムトノード）と接続するように構成されていてもよい。例えば、アクセス端末またはＵＥ４１０ａ〜４１０ｂが、ユーザの住宅４０４内にあるときはいつでも、アクセス端末またはＵＥ４１０ａ〜４１０ｂは、ホームフェムトノード４０２ａ〜４０２ｂのみと通信することが望ましいだろう。
【００５０】
いくつかの側面では、アクセス端末またはＵＥ４１０ａ〜４１０ｂは、マクロセルラネットワーク４０８内で動作するが、（例えば、好ましいローミングリスト中に規定されているような）この最も好ましいネットワーク上には存在していない場合には、アクセス端末またはＵＥ４１０ａ〜４１０ｂは、より良いシステム再選択（“ＢＳＲ”）を使用して、最も好ましいネットワーク（例えば、好ましいフェムトノード４０２ａ〜４０２ｂ）をサーチし続けてもよい。より良いシステム再選択（“ＢＳＲ”）は、より良いシステムが現在利用可能であるか否かを決定する、利用可能システムの周期的なスキャニングと、このような好ましいシステムに関係付けるための後に続く努力とを伴ってもよい。捕捉エントリにより、アクセス端末またはＵＥ４１０ａ〜４１０ｂは、特有な帯域とチャネルとに対するサーチを限定してもよい。例えば、最も好ましいシステムに対するサーチは、周期的に反復してもよい。好ましいフェムトノード４０２ａ〜４０２ｂを発見すると、アクセス端末４１０ａ〜４１０ｂは、このカバレッジエリア内でキャンピングするために、フェムトノード４０２ａ〜４０２ｂを選択する。
【００５１】
フェムトノードは、いくつかの側面において制限されていてもよい。例えば、所定のフェムトノードは、あるアクセス端末に対してあるサービスのみを提供してもよい。いわゆる制限された（すなわち、閉じられた）関係を有する配備において、所定のアクセス端末は、マクロセル移動体ネットワークによって、そして、規定された組のフェムトノード（例えば、対応するユーザ住宅４０４内に存在するフェムトノード４０２ａ〜４０２ｂ）によってのみ、担当されてもよい。いくつかのインプリメンテーションでは、ノードは、少なくとも１つのノードに対して、シグナリングや、データアクセスや、登録や、ページングや、サービスのうちの少なくとも１つを提供しないように制限されていてもよい。
【００５２】
いくつかの側面では、（閉じられた加入者グループホームノードＢとして呼ばれることもある）制限されたフェムトノードは、制限されて準備されている組のアクセス端末にサービスを提供するものである。この組は、必要に応じて、一時的に、または、永続的に、拡張されてもよい。いくつかの側面では、閉じられた加入者グループ（“ＣＳＧ”）は、アクセス端末の共通アクセス制御リストを共有するアクセスノード（例えば、フェムトノード）の組として、規定されてもよい。領域におけるすべてのフェムトノード（または、すべての制限されたフェムトノード）がその上で動作するチャネルは、フェムトチャネルとして呼ばれることがある。
【００５３】
したがって、所定のフェムトノードと所定のアクセス端末またはユーザ機器との間に、さまざまな関係が存在してもよい。例えば、アクセス端末の観点から、オープンフェムトノードは、制限された関係を持たないフェムトノードのことを指していてもよい。制限されたフェムトノードは、いくつかの方法において制限されている（例えば、関係および／または登録に対して制限されている）フェムトノードのことを指していてもよい。ホームフェムトノードは、アクセス端末がその上でアクセスすることや、その上で動作することが認可されているフェムトノードのことを指していてもよい。ゲストフェムトノードは、アクセス端末がその上でアクセスすることや、その上で動作することが一時的に認可されているフェムトノードのことを指していてもよい。エイリアンフェムトノードは、おそらく非常事態（例えば、９１１通話）を除いて、アクセス端末がその上でアクセスすることや、その上で動作することが認可されていないフェムトノードのことを指していてもよい。
【００５４】
制限されたフェムトノードの観点から、ホームアクセス端末は、制限されたフェムトノードにアクセスすることが認可されたアクセス端末のことを指していてもよい。ゲストアクセス端末は、制限されたフェムトノードに対する一時的なアクセスを有するアクセス端末のことを指していてもよい。エイリアンアクセス端末は、おそらく、例えば９１１通話のような非常事態を除いて、制限されたフェムトノードにアクセスする許可証を持っていないアクセス端末（例えば、制限されたフェムトノードに登録するための信用証明または許可証を持っていないアクセス端末）のことを指していてもよい。
【００５５】
便宜のために、ここでの開示は、フェムトノードという文脈の中でさまざまな機能性を記述している。しかしながら、ピコノードが、より大きいカバレッジエリアに対して、同じ機能性、または、類似した機能性を提供してもよいことを正しく認識すべきである。例えば、ピコノードは制限されていてもよい。ホームピコノードは、所定のアクセス端末などに対して規定されていてもよい。
【００５６】
ワイヤレス多元接続通信システムは、複数のワイヤレスアクセス端末に対する通信を同時にサポートしてもよい。上述したように、各端末は、フォワードリンクおよびリバースリンク上での送信を通して、１つ以上の基地局と通信してもよい。フォワードリンク（すなわち、ダウンリンク）は、基地局から端末への通信リンクのことを指し、リバースリンク（すなわち、アップリンク）は、端末から基地局への通信リンクのことを指している。この通信リンクは、単一入単一出システムや、複数入複数出（“ＭＩＭＯ”）システムや、他のいくつかのタイプのシステムを通して、確立されてもよい。
【００５７】
図５は、カバレッジマップの例５００を図示している。カバレッジマップの例５００は、いくつかの追跡エリア５０２（すなわち、ルーティングエリアまたはロケーションエリア）が規定されており、それらのそれぞれがいくつかのマクロカバレッジエリア５０４を含んでいる。ここで、追跡エリア５０２ａ、５０２ｂ、および５０２ｃに関係するカバレッジのエリアは、太線により線引きされており、マクロカバレッジエリア５０４は、六角形により表されている。追跡エリア５０２はまた、フェムトカバレッジエリア５０６を含んでいる。この例では、フェムトカバレッジエリア５０６のそれぞれ（例えば、フェムトカバレッジエリア５０６ｃ）は、マクロカバレッジエリア５０４（例えば、マクロカバレッジエリア５０４ｂ）内に図示されている。しかしながら、フェムトカバレッジエリア５０６は、完全にマクロカバレッジエリア５０４内に置かれていなくてもよいことを正しく認識すべきである。実際には、非常に多数のフェムトカバレッジエリア５０６が、所定の追跡エリア５０２またはマクロカバレッジエリア５０４とともに規定されていてもよい。また、（示されていない）１つ以上のピコカバレッジエリアが、所定の追跡エリア５０２またはマクロカバレッジエリア５０４内に規定されていてもよい。
【００５８】
図６を参照すると、１つの側面にしたがった多元接続ワイヤレス通信システムが図示されている。アクセスポイント（ＡＰ）６００は、複数のアンテナグループを含んでおり、その１つは、６０６および６０６を含み、別のものは、６０８および６１０を含み、さらなるものは、６１２および６１４を含んでいる。図６中では、各アンテナグループに対して、２つのアンテナのみが示されているが、各アンテナグループに対して、より多くのアンテナ、または、より少ないアンテナが利用されてもよい。アクセス端末（ＡＴ）６１６は、アンテナ６１２および６１４と通信中であり、ここで、アンテナ６１２および６１４は、フォワードリンク６２０を介して情報をアクセス端末６１６に送信し、リバースリンク６１８を介してアクセス端末６１６から情報を受信する。アクセス端末６２２は、アンテナ６０６および６０８と通信中であり、ここで、アンテナ６０６および６０８は、フォワードリンク６２６を介して情報をアクセス端末６２２に送信し、リバースリンク６２４を介してアクセス端末６２２から情報を受信する。ＦＤＤシステムにおいて、通信リンク６１８、６２０、６２４、および６２６は、通信に対して異なる周波数を使用してもよい。例えば、フォワードリンク６２０は、リバースリンク６１８により使用されるものとは異なる周波数を使用してもよい。
【００５９】
アンテナの各グループ、および／または、これらが通信するように設計されているエリアは、アクセスポイントのセクタとして呼ばれることが多い。この側面では、アンテナグループのそれぞれは、アクセスポイント６００によりカバーされているエリアのうちの、セクタ中のアクセス端末と通信するように設計されている。
【００６０】
フォワードリンク６２０および６２６を通した通信において、アクセスポイント６００の送信アンテナは、異なるアクセス端末６１６および６２２に対する、フォワードリンクの信号対ノイズ比を改善するために、ビーム形成を利用する。また、そのカバレッジにわたってランダムに散在しているアクセス端末に送信するのにビーム形成を使用するアクセスポイントは、そのアクセス端末のすべてに対して、単一のアンテナを通して、送信するアクセスポイントよりも少ない干渉を、隣接するセル中のアクセス端末に対して生じさせる。
【００６１】
アクセスポイントは、端末と通信するために使用される固定局であってもよく、アクセスポイントや、ノードＢや、他のいくつかの用語として呼ばれることもある。アクセス端末はまた、ユーザ機器（ＵＥ）や、ワイヤレス通信デバイスや、端末や、他のいくつかの用語で呼ばれることがある。
【００６２】
ＭＩＭＯシステムは、データ送信のために、複数の（ＮT本の）送信アンテナと、複数の（ＮR本の）受信アンテナとを用いる。ＮT本の送信アンテナおよびＮR本の受信アンテナにより形成されたＭＩＭＯチャネルは、ＮS個の独立したチャネル中に分解されてもよい。ＮS個の独立したチャネルは、空間チャネルとして呼ばれることもあり、ここでＮS≦ｍｉｎ｛ＮT，ＮR｝である。ＮS個の独立したチャネルのそれぞれは、次元に対応している。複数の送信アンテナおよび受信アンテナにより生成されたさらなる次元数が利用される場合に、ＭＩＭＯシステムは、改善された性能（例えば、より高いスループットおよび／またはより大きな信頼性）を提供してもよい。
【００６３】
ＭＩＭＯシステムは、時分割デュプレクス（“ＴＤＤ”）および周波数分割デュプレックス（“ＦＤＤ”）をサポートしてもよい。ＴＤＤシステムにおいて、相反原理により、リバースリンクチャネルからのフォワードリンクチャネルの予測が可能になるように、フォワードリンクおよびリバースリンクの送信は、同じ周波数領域上にある。これにより、アクセスポイントにおいて複数のアンテナが使用可能であるときに、アクセスポイントが、フォワードリンク上で送信ビーム形成利得を抽出できるようになる。
【００６４】
ここでの教示は、少なくとも１つの他のノードと通信するためのさまざまなコンポーネントを用いるノード（例えばデバイス）に組み込まれてもよい。図７は、ノード間の通信を促進するために用いられるいくつかのサンプルコンポーネントを図示している。特に、図７は、ＭＩＭＯシステム７００の、ワイヤレスデバイス７１０（例えばアクセスポイント）とワイヤレスデバイス７５０（例えばアクセス端末）とを図示している。デバイス７１０において、データ源７１２から送信（“ＴＸ”）データプロセッサ７１４に、多数のデータストリームに対するトラフィックデータが提供される。
【００６５】
いくつかの側面では、各データストリームは、各送信アンテナを介して送信される。ＴＸデータプロセッサ７１４は、そのデータストリームに対してコード化データを提供するために選択された特定のコーディングストリームに基づいて、各データストリームに対するトラフィックデータをフォーマット化し、コード化し、インターリーブする。
【００６６】
各データストリームに対するコード化データは、ＯＦＤＭ技術を使用して、パイロットデータと多重化されていてもよい。典型的に、パイロットデータは、既知の方法で処理される既知のデータパターンであり、チャネル応答を予測するために受信機システムにおいて使用してもよい。各データストリームに対する、多重化パイロットデータおよびコード化データは、その後、変調シンボルを提供するために、そのデータストリームに対して選択された特定の変調ストリーム（例えば、ＢＰＳＫ、ＱＳＰＫ、Ｍ−ＰＳＫ、またはＭ−ＱＡＭ）に基づいて変調される。各データストリームに対する、データレートと、コーディングと、変調は、プロセッサ７３０により実行される命令により決定されてもよい。データメモリ７３２は、プロセッサ７３０、または、デバイス７１０の他のコンポーネントにより使用される、プログラムコードと、データと、他の情報とを記憶してもよい。
【００６７】
すべてのデータストリームに対する変調シンボルは、その後、ＴＸ ＭＩＭＯプロセッサ７２０に提供される。ＴＸ ＭＩＭＯプロセッサ７２０は、変調シンボルを（例えばＯＦＤＭのために）さらに処理してもよい。ＴＸ ＭＩＭＯプロセッサ７２０は、その後、それぞれが送信機（ＴＭＴＲ）および受信機（ＲＣＶＲ）を持つ、ＮT個のトランシーバ（“ＸＣＶＲ”）７２２ａないし７７２ｔに、ＮT個の変調シンボルストリームを提供する。いくつかの側面では、ＴＸ ＭＩＭＯプロセッサ７２０は、データストリームのシンボルに、そして、そこからシンボルが送信されているアンテナに、ビーム形成重みを適用する。
【００６８】
各トランシーバ７２２ａ〜７２２ｔは、各シンボルストリームを受け取って処理し、１つ以上のアナログ信号を提供し、さらに、アナログ信号を調整し（例えば、増幅、フィルタリング、およびアップコンバートし）、ＭＩＭＯチャネルを介した送信に対して適する変調された信号を提供する。トランシーバ７２２ａないし７２２ｔからのＮT個の変調された信号は、その後、それぞれ、ＮT本のアンテナ７２４ａないし７２４ｔから送信される。
【００６９】
デバイス７５０において、送信された変調信号は、ＮR本のアンテナ７５２ａないし７５２ｒにより受信され、各アンテナ７５２ａ〜７５２ｒからの受信信号は、各トランシーバ（“ＸＣＶＲ”）７５４ａないし７５４ｒに提供される。各トランシーバ７５４ａ〜７５４ｒは、各受信信号を調整し（例えば、フィルタリング、増幅、およびダウンコンバートし）、調整信号をデジタル化してサンプルを提供し、さらに、サンプルを処理して、対応する“受信”シンボルストリームを提供する。
【００７０】
受信（“ＲＸ”）データプロセッサ７６０は、その後、特定の受信機処理技術に基づいているＮR個のトランシーバ７５４ａ〜７５４ｒからのＮR個の受信シンボルストリームを受け取って処理し、ＮT個の“検出された”シンボルストリームを提供する。ＲＸデータプロセッサ７６０は、その後、各検出されたシンボルストリームを、復調し、デインターリーブし、デーコードして、データストリームに対するトラフィックデータを復元する。ＲＸデータプロセッサ７６０による処理は、デバイス７１０において、ＴＸ ＭＩＭＯプロセッサ７２０とＴＸデータプロセッサ７１４とにより実行されるものに対して、相補的である。
【００７１】
プロセッサ７７０は、いずれのプリコーディングマトリックスを使用するかを周期的に決定する。プロセッサ７７０は、マトリックスインデックス部分とランク値部分とを含むリバースリンクメッセージを構築する。データメモリ７７２は、プロセッサ７７０、または、デバイス７５０の他のコンポーネントにより使用される、プログラムコード、データ、および他の情報を記憶してもよい。
【００７２】
リバースリンクメッセージは、通信リンクおよび／または受信データストリームに関するさまざまなタイプの情報を含んでいてもよい。リバースリンクメッセージは、その後、ＴＸデータプロセッサ７３８により処理される。ＴＸデータプロセッサ７３８はまた、データ源７３６からの多数のデータストリームに対するトラフィックデータを受け取る。このトラフィックデータは、変調器７８０により変調され、トランシーバ７５４ａないし７５４ｒにより調整されて、デバイス７１０に送り返される、
デバイス７１０において、デバイス７５０からの変調された信号は、アンテナ７２４ａ〜７２４ｔにより受信され、トランシーバ７２２ａ〜７２２ｔにより調整され、復調器（“ＤＥＭＯＤ”）７４０により復調され、ＲＸデータプロセッサ７４２により処理されて、デバイス７５０により送信されたリバースリンクメッセージを抽出する。プロセッサ７３０は、その後、ビーム形成重みを決定するために、いずれのプリコーディングマトリックスを使用するかを決定し、その後、抽出されたメッセージを処理する。
【００７３】
図７はまた、通信コンポーネントが、干渉制御動作を実行する１つ以上のコンポーネントを含むことを図示している。例えば、干渉（“ＩＮＴＥＲ”）制御コンポーネント７９０は、プロセッサ７３０、および／または、デバイス７１０の他のコンポーネントと協働し、別のデバイス（例えばデバイス７５０）へ／から、信号を送信／受信する。同様に、干渉制御コンポーネント７９２は、プロセッサ７７０、および／または、デバイス７５０の他のコンポーネントと協働し、別のデバイス（例えばデバイス７１０）へ／から、信号を送信／受信する。各デバイス７１０および７５０に対して、記述されているコンポーネントのうちの２つ以上の機能性が、単一のコンポーネントにより提供されてもよいことを正しく認識すべきである。例えば、単一の処理コンポーネントが、干渉制御コンポーネント７９０とプロセッサ７３０との機能性を提供してもよく、単一の処理コンポーネントが、干渉制御コンポーネント７９２とプロセッサ７７０との機能性を提供してもよい。
【００７４】
図８中では、中継器によるアクセスノードとの非同時の受信および送信を実行する半二重スケジュールを決定すること（ブロック８０４）と、半二重スケジュールに一致するランダムアクセスチャネル機会を持つ物理ランダムアクセスチャネルコンフィギュレーションを決定すること（ブロック８０６）と、物理ランダムアクセスチャネルコンフィギュレーションを使用することによって、中継器を通して、アクセスノードとのランダムアクセスチャネル手順を実行すること（ブロック８０８）とによる、ワイヤレス通信システムにおける干渉緩和のための、方法論または動作のシーケンス８００が図示されている。
【００７５】
図９中では、第１の帯域幅を持つアップリンクを使用するようにユーザ機器をスケジューリングすること（ブロック９０４）と、干渉信号を含む、第１の帯域幅の帯域端部分を規定すること（ブロック９０６）と、帯域端部分を避けた、アップリンク帯域幅の減少された部分を、ユーザ機器に対してスケジューリングすること（ブロック９０８）と、フィルタリングして帯域端部分を除くことにより、アップリンク帯域幅の減少された部分を受信すること（ブロック９１０）とによる、異種ワイヤレスネットワーク通信システムにおける干渉緩和のための、方法論または動作のシーケンス９００が図示されている。
【００７６】
図１０を参照すると、図示されているものは、ワイヤレス通信システムにおける干渉緩和のためのシステム１０００である。例えば、システム１０００は、ユーザ機器（ＵＥ）内に少なくとも部分的に存在することができる。システム１０００は、機能ブロックを含むように表されており、これらの機能ブロックは、コンピューティングプラットフォームや、プロセッサや、ソフトウェアや、これらを組み合わせたもの（例えば、ファームウェア）により実現される機能を表す機能ブロックでありうることを正しく認識すべきである。システム１０００は、関連して機能することができる電気コンポーネントの論理グルーピング１００２を備える。例えば、論理グルーピング１００２は、中継器によるアクセスノードとの非同時の受信および送信を実行する半二重スケジュールを決定する電気コンポーネント１００４を含むことができる。さらに、論理グルーピング１００２は、半二重スケジュールに一致するランダムアクセスチャネル機会を持つ物理ランダムアクセスチャネルコンフィギュレーションを決定する電気コンポーネント１００６を含むことができる。別の例では、論理グルーピング１００２は、物理ランダムアクセスチャネルコンフィギュレーションを使用することによって、中継器を通して、アクセスノードとのランダムアクセスチャネル手順を実行する電気コンポーネント１００８を含むことができる。さらに、システム１０００は、電気コンポーネント１００４〜１００８に関係する機能を実行するための命令を保持するメモリを含むことができる。メモリ１０２０の外部にあるものとして示されているが、電気コンポーネント１００４〜１００８のうちの１つ以上のものがメモリ１０２０内に存在できることを理解すべきである。
【００７７】
図１１を参照すると、図示されているものは、ワイヤレス通信システムにおける干渉緩和のためのシステム１１００である。例えば、システム１１００は、ユーザ機器（ＵＥ）内に少なくとも部分的に存在することができる。システム１１００は、機能ブロックを含むように表されており、これらの機能ブロックは、コンピューティングプラットフォームや、プロセッサや、ソフトウェアや、これらを組み合わせたもの（例えば、ファームウェア）により実現される機能を表す機能ブロックでありうることを正しく認識すべきである。システム１１００は、関連して機能することができる電気コンポーネントの論理グルーピング１１０２を備える。例えば、論理グルーピング１１０２は、第１の帯域幅を持つアップリンクを使用するようにユーザ機器をスケジューリングする電気コンポーネント１１０４を含むことができる。さらに、論理グルーピング１１０２は、干渉信号を含む、第１の帯域幅の帯域端部分を規定する電気コンポーネント１１０６を含むことができる。別の例では、論理グルーピング１１０２は、帯域端部分を避けた、アップリンク帯域幅の減少された部分を、ユーザ機器に対してスケジューリングする電気コンポーネント１１０８を含むことができる。さらなる例として、論理グルーピング１１０２は、フィルタリングして帯域端部分を除くことにより、アップリンク帯域幅の減少された部分を受信する電気コンポーネント１１１０を含むことができる。さらに、システム１１００は、電気コンポーネント１１０４〜１１１０に関係する機能を実行するための命令を保持するメモリ１１２０を含むことができる。メモリ１１２０の外部にあるものとして示されているが、電気コンポーネント１１０４〜１１１０のうちの１つ以上のものがメモリ１１２０内に存在できることを理解すべきである。
【００７８】
図１２中では、ワイヤレス通信システムにおける干渉緩和のための装置１２０２が図示されている。中継器によるアクセスノードとの非同時の受信および送信を実行する半二重スケジュールを決定する手段１２０４が提供されている。半二重スケジュールに一致するランダムアクセスチャネル機会を持つ物理ランダムアクセスチャネルコンフィギュレーションを決定する手段１２０６が提供されている。物理ランダムアクセスチャネルコンフィギュレーションを使用することによって、中継器を通して、アクセスノードとのランダムアクセスチャネル手順を実行する手段１２０８が提供されている。
【００７９】
図１３中では、異種ワイヤレス通信システムにおける干渉緩和のための装置１３０２が図示されている。第１の帯域幅を持つアップリンクを使用するようにユーザ機器をスケジューリングする手段１３０４が提供されている。干渉信号を含む、第１の帯域幅の帯域端部分を規定する手段１３０６が提供されている。帯域端部分を避けた、アップリンク帯域幅の減少された部分を、ユーザ機器に対してスケジューリングする手段１３０８が提供されている。フィルタリングして帯域端部分を除くことにより、アップリンク帯域幅の減少された部分を受信する手段１３１０が提供されている。
【００８０】
ここで開示した実施形態に関連して記述した、さまざまな例示的な論理ブロック、モジュール、回路およびアルゴリズムステップを、電子ハードウェア、コンピュータソフトウェア、または、双方を組み合わせたものとして実現してもよいことを、当業者はさらに正しく認識するであろう。ハードウェアおよびソフトウェアのこの交換可能性を明確に示すために、さまざまな例示的なコンポーネント、ブロック、モジュール、回路、およびステップを、概してこれらの機能性に関して上述した。このような機能性がハードウェアまたはソフトウェアとして実現されるか否かは、システム全体に課せられた、特定の応用、および、設計の制約に依存する。熟練者は、それぞれの特定の応用に対して変化する方法で、記述した機能性を実現してもよいが、そのような実現の決定は、本発明の範囲からの逸脱を生じさせるものとして解釈すべきではない。
【００８１】
本出願中で使用される“コンポーネント”、“モジュール”、“システム”、およびこれらに類するものは、コンピュータ関連エンティティや、ハードウェアや、ハードウェアとソフトウェアとの組み合わせか、ソフトウェアか、または実行中のソフトウェアかのいずれかを指すことを意図している。例えば、コンポーネントは、これらには限定されないが、プロセッサ上で実行しているプロセス、プロセッサ、オブジェクト、実行ファイル、実行のスレッド、プログラム、および／または、コンピュータであってもよい。事例として、サーバ上で実行しているアプリケーションとサーバとの双方をコンポーネントとすることができる。１つ以上のコンポーネントは、プロセス、および／または、実行のスレッド内に存在していてもよく、コンポーネントは、１つのコンピュータ上に局所化してもよく、および／または、２つ以上のコンポーネントとの間に分配してもよい。
【００８２】
“例示的な”という用語は、ここでは、例示として役割を果たすことを意味するように使用される。“例示的な”としてここで記述する何らかの側面または設計は、必ずしも、他の側面または設計より好ましい、または、他の側面または設計より利点があるものとして解釈されるべきはない。
【００８３】
多数のコンポーネント、モジュール、およびこれらに類するものを含むシステムに関連して、さまざまな側面を表すだろう。さまざまなシステムは、付加的なコンポーネント、モジュールなどを含むことがあり、および／または、すべてのコンポーネント、モジュールなどを含まないことがあることを、理解すべきであり、正しく認識すべきである。これらのアプローチの組み合わせも使用することができる。タッチスクリーンディスプレイ技術、および／または、マウスキーボードタイプのインターフェースを利用するデバイスを含む電気デバイス上で、ここに開示したさまざまな側面を実行することができる。このようなデバイスの例は、コンピュータ（デスクトップおよび移動体）、スマートフォン、パーソナルデジタルアシスタント（ＰＤＡ）、ならびに、ワイヤードおよびワイヤレスの双方である他の電気デバイスを含む。
【００８４】
加えて、ここに開示した側面と関連して説明したさまざまな例示的な論理ブロック、モジュールおよび回路は、汎用プロセッサ、デジタル信号プロセッサ（ＤＳＰ）、特定用途向け集積回路（ＡＳＩＣ）、現場プログラム可能ゲートアレイ（ＦＰＧＡ）または他のプログラム可能論理デバイス、ディスクリートゲートまたはトランジスタ論理、ディスクリートハードウェアコンポーネント、あるいは、ここに記述した機能を実行するように設計されているこれらの任意の組み合わせたものにより、実現または実行してもよい。汎用プロセッサはマイクロプロセッサであってもよいが、代替実施形態では、プロセッサは、任意の従来のプロセッサ、制御装置、マイクロ制御装置または状態機械であってもよい。プロセッサはまた、例えば、ＤＳＰおよびマイクロプロセッサを組み合わせたものや、マイクロプロセッサや、複数のマイクロプロセッサや、ＤＳＰコアを伴う１つ以上のマイクロプロセッサや、任意のその他のこのようなコンフィギュレーションのような、コンピューティングデバイスを組み合わせたものとして実現してもよい。
【００８５】
さらに、１つ以上のバージョンは、ソフトウェア、ファームウェア、ハードウェア、またはこれらの任意のものを組み合わせたものを生成させて、コンピュータを制御して、開示した側面を実現するための、標準プログラミングおよび／またはエンジニアリング技術を使用している方法、装置または、製造物として実現してもよい。ここで用いる“製造物”（すなわち、代替的には“コンピュータプログラムプロダクト”）という用語は、何らかのコンピュータ読取可能デバイス、キャリア、または媒体からアクセス可能なコンピュータプログラムを含むことを意図している。例えば、コンピュータ読取可能媒体は、磁気記憶デバイス（例えば、ハードディスク、フロッピー（登録商標）ディスク、磁気ストライプ．．．）や、光ディスク（例えば、コンパクトディスク（ＣＤ）、デジタル汎用性ディスク（ＤＶＤ）．．．）や、スマートカードや、フラッシュメモリデバイス（例えば、カード、スティック）を含むことができるが、これらに限定されない。さらに、音声メールを送信および受信する際に、または、インターネットやローカルエリアネットワークのようなネットワークにアクセスする際に使用されるもののような、コンピュータ読取可能な電子データを伝えるために、搬送波を使用できることを正しく認識すべきである。もちろん、当業者は、ここで開示した側面の範囲から逸脱することなく、このコンフィギュレーションに対して多くの変更が行われてもよいことを認識するだろう。
【００８６】
ここに開示した側面と関連して記述した方法、シーケンス、および／または、アルゴリズムのステップは、ハードウェアで、プロセッサにより実行されるソフトウェアモジュールで、あるいは、双方を組み合わせたもので直接的に具現化してもよい。ソフトウェアモジュールは、ＲＡＭメモリ、フラシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、または、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合されていてもよい。代替実施形態では、記憶媒体は、プロセッサと一体化されていてもよい。プロセッサおよび記憶媒体は、ＡＳＩＣに存在していてもよい。ＡＳＩＣは、ユーザ端末に存在していてもよい。代替実施形態では、プロセッサおよび記憶媒体は、ディスクリートコンポーネントとしてユーザ端末に存在していてもよい。
【００８７】
開示した側面のこれまでの記述は、当業者が本開示を製作または使用できるように提供した。これらの側面に対するさまざま改良は当業者に容易に明らかとなり、ここに規定した一般的な原理は、本開示の精神または範囲から逸脱することなく、他の実施形態に適用されてもよい。したがって、本開示は、ここで示した実施形態に限定されることを意図しているものではなく、ここで開示した原理および新しい特徴と一致した最も広い範囲に一致させるべきである。
【００８８】
上述した例示的なシステムに関連して、記述した主題事項にしたがって実現する方法論をいくつかのフローダイヤグラムを参照して、記述した。説明の簡略化の目的ために、一連のブロックとして方法論を示し、記述しているが、いくつかのブロックは、ここに図示し、記述しているものとは異なる順序で、ならびに／あるいは、他のブロックと同時に、起こることがあるので、クレームしている主題項目は、ブロックの順序により限定されないことを、理解すべきであり、正しく認識すべきである。さらに、すべての図示したブロックが、ここに記述した方法論を実現する必要があるわけではない。加えて、ここに開示した方法論は、このような方法論をコンピュータに伝送および転送することを促進するために、製造品に記憶することが可能であることをさらに正しく認識すべきである。ここで使用する、製造品という用語は、何らかのコンピュータ読取可能媒体、搬送波、またはメディアからアクセス可能なコンピュータプログラムを包含することを意図している。
【００８９】
全体または一部において、ここでの参照により組み込まれているとされる、何らかの特許や、文献や、他の開示マテリアルは、組み込まれているマテリアルが、本開示中で先に述べた、既存の定義や、言明や、他の開示マテリアルと矛盾しない程度でのみ、ここに組み込まれていることを、正しく認識すべきである。このように、必要な範囲内で、ここに明示的に先に述べたような開示は、参照によりここに組み込まれている何らかの矛盾するマテリアルに取って代わる。ここでの参照により組み込まれているとされるが、ここで先に述べた、既存の定義や、言明や、他の開示マテリアルと矛盾する、何らかのマテリアルまたはその一部分は、その組み込まれているマテリアルと既存の開示マテリアルとの間に矛盾が生じない程度でのみ、組み込まれる。
以下に、本願出願時の特許請求の範囲に記載された発明を付記する。
［１］ワイヤレス通信システムにおける干渉緩和のための方法において、
中継器によるアクセスノードとの非同時の受信および送信を実行する半二重スケジュールを決定することと、
前記半二重スケジュールに一致するランダムアクセスチャネル機会を持つ物理ランダムアクセスチャネルコンフィギュレーションを決定することと、
前記物理ランダムアクセスチャネルコンフィギュレーションを使用することによって、前記中継器を通して、前記アクセスノードとのランダムアクセスチャネル手順を実行することとを含む方法。
［２］１０ｍｓの周期を有するサブフレーム機会を決定することをさらに含む［１］記載の方法。
［３］送信する奇数および偶数のハイブリッド自動反復要求（ＨＡＲＱ）インターレースのうちの選択された１つを、前記半二重スケジュールにしたがって、前記中継器に割り当てることをさらに含む［２］記載の方法。
［４］２０ｍｓの周期を有するサブフレーム機会を決定することをさらに含む［１］記載の方法。
［５］送信する４つのアップリンクＨＡＲＱインターレースのうちの１つを前記中継器に割り当てることをさらに含む［４］記載の方法。
［６］ワイヤレス通信システムにおける干渉緩和のためのコンピュータプログラムプロダクトにおいて、
少なくとも１つのプロセッサにより実行されるときに、コンポーネントを実現するコンピュータ実行可能命令を記憶する少なくとも１つのコンピュータ読取可能記憶媒体を含み、
前記コンピュータ実行可能命令は、
中継器によるアクセスノードとの非同時の受信および送信を実行する半二重スケジュールを決定するための第１の組のコードと、
前記半二重スケジュールに一致するランダムアクセスチャネル機会を持つ物理ランダムアクセスチャネルコンフィギュレーションを決定するための第２の組のコードと、
前記物理ランダムアクセスチャネルコンフィギュレーションを使用することによって、前記中継器を通して、前記アクセスノードとのランダムアクセスチャネル手順を実行するための第３の組のコードとを含むコンピュータプログラムプロダクト。
［７］ワイヤレス通信システムにおける干渉緩和のための装置において、
少なくとも１つのプロセッサと、
前記少なくとも１つのプロセッサにより実行されるときに、コンポーネントを実現するコンピュータ実行可能命令を記憶する少なくとも１つのコンピュータ読取可能記憶媒体とを具備し、
前記コンピュータ実行可能命令は、
中継器によるアクセスノードとの非同時の受信および送信を実行する半二重スケジュールを決定する手段と、
前記半二重スケジュールに一致するランダムアクセスチャネル機会を持つ物理ランダムアクセスチャネルコンフィギュレーションを決定する手段と、
前記物理ランダムアクセスチャネルコンフィギュレーションを使用することによって、前記中継器を通して、前記アクセスノードとのランダムアクセスチャネル手順を実行する手段とを含む装置。
［８］ワイヤレス通信システムにおける干渉緩和のための装置において、
中継器によるアクセスノードとの非同時の受信および送信を実行する半二重スケジュールを決定し、前記半二重スケジュールに一致するランダムアクセスチャネル機会を持つ物理ランダムアクセスチャネルコンフィギュレーションを決定するコンピューティングプラットフォームと、
前記物理ランダムアクセスチャネルコンフィギュレーションを使用することによって、前記中継器を通して、前記アクセスノードとのランダムアクセスチャネル手順を実行する送信機および受信機とを具備する装置。
［９］前記コンピューティングプラットフォームは、さらに、１０ｍｓの周期を有するサブフレーム機会を決定する［８］記載の装置。
［１０］前記コンピューティングプラットフォームは、さらに、送信する奇数および偶数のハイブリッド自動反復要求（ＨＡＲＱ）インターレースのうちの選択された１つを、前記半二重スケジュールにしたがって、前記中継器に割り当てる［９］記載の装置。
［１１］前記コンピューティングプラットフォームは、さらに、２０ｍｓの周期を有するサブフレーム機会を決定する［８］記載の装置。
［１２］前記コンピューティングプラットフォームは、さらに、送信する４つのアップリンクＨＡＲＱインターレースのうちの１つを前記中継器に割り当てる［１１］記載の装置。
［１３］ワイヤレス通信システムにおける干渉緩和のための方法において、
第１の帯域幅を持つアップリンクを使用するようにユーザ機器をスケジューリングすることと、
干渉信号を含む、前記第１の帯域幅の帯域端部分を規定することと、
前記帯域端部分を避けた、アップリンク帯域幅の減少された部分を、前記ユーザ機器に対してスケジューリングすることと、
フィルタリングして前記帯域端部分を除くことにより、前記アップリンク帯域幅の減少された部分を受信することとを含む方法。
［１４］ブランクである部分を持つ複数のダウンリンクサブフレームを含む、ダウンリンクフレーム構造にアクセスすることと、
ブランクである部分を持つ複数のアップリンクサブフレームを含む、アップリンクフレーム構造を決定することとにより、
担当されている前記ユーザ機器と第２のユーザ機器との間の干渉を緩和することをさらに含む［１３］記載の方法。
［１５］明示的なアップリンクサブフレーム定義にアクセスすることにより、前記アップリンクフレーム構造を決定することをさらに含む［１４］記載の方法。
［１６］前記アップリンクフレーム構造を導き出すことをさらに含む［１４］記載の方法。
［１７］前記干渉信号の欠落を検出することに応答して、前記第１の帯域幅を使用する前記アップリンクを回復させることをさらに含む［１３］記載の方法。
［１８］前記第１の帯域幅を使用する前記アップリンクにおいて、アップリンク制御チャネルを送信するように前記ユーザ機器をスケジューリングすることと、
前記アップリンクの減少された部分において、前記アップリンク制御チャネルを送信するように前記ユーザ機器を再スケジューリングすることとをさらに含む［１３］記載の方法。
［１９］閉じられた加入グループセル上の前記ユーザ機器を認証することをさらに含む［１８］記載の方法。
［２０］フェムトセルにより、前記閉じられた加入グループセルを管理することをさらに含む［１９］記載の方法。
［２１］前記減少された部分から前記帯域端部分を分離するのに十分な受信信号をアナログデジタルサンプリングすることと、
前記帯域端部分を減衰させるために、デジタルフィルタ係数を変化させることとにより、
フィルタリングして前記帯域端部分を除くことをさらに含む［１３］記載の方法。
［２２］アナログフィルタリングして前記帯域端部分を除くことをさらに含む［１３］記載の方法。
［２３］ワイヤレス通信システムにおける干渉緩和のためのコンピュータプログラムプロダクトにおいて、
少なくとも１つのプロセッサにより実行されるときに、コンポーネントを実現するコンピュータ実行可能命令を記憶する少なくとも１つのコンピュータ読取可能記憶媒体を含み、
前記コンピュータ実行可能命令は、
第１の帯域幅を持つアップリンクを使用するようにユーザ機器をスケジューリングするための第１の組のコードと、
干渉信号を含む、前記第１の帯域幅の帯域端部分を規定するための第２の組のコードと、
前記帯域端部分を避けた、アップリンク帯域幅の減少された部分を、前記ユーザ機器に対してスケジューリングするための第３の組のコードと、
フィルタリングして前記帯域端部分を除くことにより、前記アップリンク帯域幅の減少された部分を受信するための第４の組のコードとを含むコンピュータプログラムプロダクト。
［２４］ワイヤレス通信システムにおける干渉緩和のための装置において、
少なくとも１つのプロセッサと、
前記少なくとも１つのプロセッサにより実行されるときに、コンポーネントを実現するコンピュータ実行可能命令を記憶する少なくとも１つのコンピュータ読取可能記憶媒体とを具備し、
前記コンピュータ実行可能命令は、
第１の帯域幅を持つアップリンクを使用するようにユーザ機器をスケジューリングする手段と、
干渉信号を含む、前記第１の帯域幅の帯域端部分を規定する手段と、
前記帯域端部分を避けた、アップリンク帯域幅の減少された部分を、前記ユーザ機器に対してスケジューリングする手段と、
フィルタリングして前記帯域端部分を除くことにより、前記アップリンク帯域幅の減少された部分を受信する手段とを含む装置。
［２５］ワイヤレス通信システムにおける干渉緩和のための装置において、
前記装置は、
送信機と、
第１の帯域幅を持つアップリンクを使用するように、前記送信機を通して、ユーザ機器をスケジューリングするスケジューラと、
干渉信号を含む、前記第１の帯域幅の帯域端部分を規定するコンピューティングプラットフォームとを具備し、
前記スケジューラは、さらに、前記帯域端部分を避けた、アップリンク帯域幅の減少された部分を、前記送信機を通して、前記ユーザ機器に対してスケジューリングし、
前記装置は、
フィルタリングして前記帯域端部分を除くことにより、前記アップリンク帯域幅の減少された部分を受信する受信機を具備する装置。
［２６］担当されている前記ユーザ機器と第２のユーザ機器との間の干渉を緩和することをさらに含み、
前記コンピューティングプラットフォームは、さらに、ブランクである部分を持つ複数のダウンリンクサブフレームを含む、ダウンリンクフレーム構造にアクセスし、ブランクである部分を持つ複数のアップリンクサブフレームを含む、アップリンクフレーム構造を決定する［２５］記載の装置。
［２７］前記コンピューティングプラットフォームは、さらに、明示的なアップリンクサブフレーム定義にアクセスすることにより、前記アップリンクフレーム構造を決定する［２６］記載の装置。
［２８］前記コンピューティングプラットフォームは、さらに、前記アップリンクフレーム構造を導き出す［２６］記載の装置。
［２９］前記コンピューティングプラットフォームは、さらに、前記干渉信号の欠落を検出することに応答して、前記第１の帯域幅を使用する前記アップリンクを回復させる［２５］記載の装置。
［３０］前記スケジューラは、さらに、前記第１の帯域幅を使用する前記アップリンクにおいて、アップリンク制御チャネルを送信するように前記ユーザ機器をスケジューリングし、前記アップリンクの減少された部分において、前記アップリンク制御チャネルを送信するように前記ユーザ機器を再スケジューリングする［２５］記載の装置。
［３１］前記コンピューティングプラットフォームは、さらに、閉じられた加入グループセル上の前記ユーザ機器を認証する［３０］記載の装置。
［３２］前記閉じられた加入グループセルを管理するためのフェムトセルをさらに具備する［３１］記載の装置。
［３３］前記受信機は、さらに、
前記減少された部分から前記帯域端部分を分離するのに十分な受信信号をアナログデジタルサンプリングすることと、
前記帯域端部分を減衰させるために、デジタルフィルタ係数を変化させることとにより、
フィルタリングして前記帯域端部分を除く［２５］記載の装置。
［３４］前記受信機は、さらに、アナログフィルタリングして前記帯域端部分を除く［２５］記載の装置。
【図１Ａ】
0005646585.tif 000003
【図１Ｂ】
0005646585.tif 000004
【図２】
0005646585.tif 000005
【図３】
0005646585.tif 000006
【図４】
0005646585.tif 000007
【図５】
0005646585.tif 000008
【図６】
0005646585.tif 000009
【図７】
0005646585.tif 000010
【図８】
0005646585.tif 000011
【図９】
0005646585.tif 000012
【図１０】
0005646585.tif 000013
【図１１】
0005646585.tif 000014
【図１２】
0005646585.tif 000015
【図１３】
0005646585.tif 000016